(57)【特許請求の範囲】
【請求項１】
流体管路が接続されて開口部を外方に向けて操作部に配置された複数のシリンダ体と、管路切り換え操作を行うために上記各シリンダ体に着脱自在に取り付けられたピストン体とを有する内視鏡であって、上記ピストン体とそのピストン体が取り付けられる上記シリンダ体とに対であることを表示する指標が設けられたものから、上記ピストン体を取り外して、上記流体管路内に掃除用ブラシを案内するために上記ピストン体に代えて上記シリンダ体の一つに取り付けられる内視鏡のブラシ挿入補助具において、
そのブラシ挿入補助具が取り付けられる上記シリンダ体の指標と対になる指標が設けられると共に、
上記シリンダ体に取り付けられたときに上記シリンダ体内に嵌め込まれる嵌め込み部と、そのブラシ挿入補助具の向きを規制するために上記シリンダ体外に位置する位置決め部とが設けられて、
上記位置決め部には、そのブラシ挿入補助具が取り付けられるシリンダ体に隣接するシリンダ体の口元部分に弾力的に圧接される縁部が形成されていることを特徴とする内視鏡のブラシ挿入補助具。
【請求項２】
上記ブラシ挿入補助具の一部又は全部が、そのブラシ挿入補助具が取り付けられる上記シリンダ体の指標の色と同色に形成された色指標になっている請求項１記載の内視鏡のブラシ挿入補助具。
【請求項３】
上記嵌め込み部と上記位置決め部の少なくとも一方が、そのブラシ挿入補助具が取り付けられるシリンダ体の指標色と同色に形成されている請求項１又は２記載の内視鏡のブラシ挿入補助具。
【請求項４】
上記嵌め込み部がプラスチック製であり、上記位置決め部がゴム製である請求項１、２又は３記載の内視鏡のブラシ挿入補助具。
【発明の詳細な説明】
【０００１】
【発明の属する技術分野】
この発明は、内視鏡の流体管路の連通状態を切り換え操作するために設けられたシリンダ体からピストン体を取り外してシリンダ体に取り付けられる内視鏡のブラシ挿入補助具に関する。
【０００２】
【従来の技術】
内視鏡には、送気送水管路や吸引管路などのような流体管路が設けられているものが少なくない。そして内視鏡の操作部には、流体管路の連通状態を切り換え操作するための切換操作弁が設けられている。
【０００３】
そのような切換操作弁は一般に、流体管路が接続されたシリンダ体内に、軸線方向に進退自在にピストン体が嵌挿された構造になっている。そして、指先による操作でピストン体を複数の所定位置で停止させることによって、流体管路の連通状態を切り換えるようになっている。
【０００４】
そして、内視鏡使用後に流体管路内をブラッシングするために、シリンダ体からピストン体を取り外し、それに代えて、掃除用ブラシを流体管路内に案内するための案内孔が形成されたブラシ挿入補助具を取り付けることができるようになっている。
【０００５】
【発明が解決しようとする課題】
しかし、内視鏡には一般に、送気送水切換操作弁と吸引操作弁とが並んで配置されていて、その双方からピストン体を取り外すと二つのシリンダ体が操作部の表面に並んで開口した状態になる。
【０００６】
そのため、例えば送気送水切換操作弁のシリンダ体内に取り付けるべきブラシ挿入補助具を吸引操作弁のシリンダ体側に取り付けてしまう等、誤装着してしまう場合がある。
【０００７】
そこで本発明は、ピストン体が取り外された状態のシリンダ体に対してブラシを誤りなく取り付けることができる内視鏡のブラシ挿入補助具を提供することを目的とする。
【０００８】
【課題を解決するための手段】
上記の目的を達成するため、本発明の内視鏡のブラシ挿入補助具は、流体管路が接続されて開口部を外方に向けて操作部に配置された複数のシリンダ体と、管路切り換え操作を行うために上記各シリンダ体に着脱自在に取り付けられたピストン体とを有する内視鏡であって、上記ピストン体とそのピストン体が取り付けられる上記シリンダ体とに対であることを表示する指標が設けられたものから、上記ピストン体を取り外して、上記流体管路内に掃除用ブラシを案内するために上記ピストン体に代えて上記シリンダ体の一つに取り付けられる内視鏡のブラシ挿入補助具において、そのブラシ挿入補助具が取り付けられる上記シリンダ体の指標と対になる指標を設けたことを特徴とする。
【０００９】
なお、上記ブラシ挿入補助具の一部又は全部が、そのブラシ挿入補助具が取り付けられる上記シリンダ体の指標の色と同色に形成された色指標になっていてもよい。
【００１０】
また、上記ブラシ挿入補助具が、上記シリンダ体に取り付けられたときに上記シリンダ体内に嵌め込まれる嵌め込み部と、そのブラシ挿入補助具の向きを規制するために上記シリンダ体外に位置する位置決め部とを有していてもよい。
【００１１】
そして、上記嵌め込み部と上記位置決め部の少なくとも一方が、そのブラシ挿入補助具が取り付けられるシリンダ体の指標色と同色に形成されていてもよく、上記嵌め込み部がプラスチック製であり、上記位置決め部がゴム製であってもよい。
【００１２】
また、上記位置決め部には、そのブラシ挿入補助具が取り付けられるシリンダ体に隣接するシリンダ体の口元部分に圧接される縁部が形成されていてもよい。
【００１３】
【発明の実施の形態】
図面を参照して本発明の実施の形態を説明する。
図３は内視鏡を示しており、１は挿入部、２は、挿入部１の基端に連結された操作部である。
【００１４】
挿入部１内に全長にわたって挿通されたチャンネルチューブ３の先端は、挿入部１の先端面に開口しており、そこが送気送水吸引口４になっている。チャンネルチューブ３の基端は、操作部２に配置された送気送水切換操作弁２０と吸引操作弁４０とに連通接続されている。
【００１５】
２１と２２は、送気送水切換操作弁２０のシリンダ体と操作ボタンである。また、外部に突出して設けられた４１と４２は、吸引操作弁４０のシリンダ体と操作ボタンである。
【００１６】
送気送水切換操作弁２０のシリンダ体２１には、空気を供給するための給気チューブ６と、水を供給するための給水チューブ７とが接続されている。また、吸引操作弁４０のシリンダ体４１には、外部に配置された吸引装置と連通する吸引チューブ８が接続されている。９は、両シリンダ体２１，４１の側部どうしを接続するように配置された接続管である。
【００１７】
図４は、送気送水切換操作弁２０と吸引操作弁４０の部分を拡大して示している。
送気送水切換操作弁２０と吸引操作弁４０のシリンダ体２１，４１は、各々固定ナット２３，４３によって操作部２に固定されており、操作部２の外表面に開口するように配置されている。２４と４４は、シール用のＯリングである。
【００１８】
両固定ナット２３，４３の外端面には、各々シリンダ体２１，４１の外端部を囲む環状の有色指標３８，５８が設けられている。送気送水切換操作弁２０側の有色指標３８は例えば青色であり、吸引操作弁４０側の有色指標５８は例えば赤色である。
【００１９】
給気チューブ６と給水チューブ７とは、間隔をあけて各々送気送水切換操作弁２０のシリンダ体２１の側面に接続されている。吸引チューブ８は、吸引操作弁４０のシリンダ体４１の側面に接続されている。
【００２０】
また、両シリンダ体２１，４１の各々の底部は、連通管１０，１１によって連通しており、その連通管１０の一端にチャンネルチューブ３の基端が連通接続されている。
【００２１】
送気送水切換操作弁２０のシリンダ体２１内には、ピストン体２６が軸線方向に摺動自在に嵌挿されている。ピストン体２６の外端は、シリンダ体２１の開口から外部に突出していて、そこに、取り付け座２２ａを介して操作ボタン２２が螺合により取り付けられている。
【００２２】
取り付け座２２ａは、ピストン体２６の端部に螺合連結されていて、その取り付け座２２ａに、操作ボタン２２がねじ込まれて取り付けられている。
【００２３】
３４は、ピストン体２６がシリンダ体２１から抜け出すのを防止するためのストッパであり、一体成形されたゴムカバー３５によって、固定ナット２３に着脱自在に係止されている。
【００２４】
操作ボタン２２とストッパ３４との間には圧縮コイルスプリング３６が介装されていて、それによって、ピストン体２６がシリンダ体２１から突出する方向に付勢されている。圧縮コイルスプリング３６の一端は、ピストン体２６に螺合して取り付けられた取り付け座２２ａによって受けられている。
【００２５】
図４において、送気送水切換操作弁２０の右側半部は、ピストン体２６がストッパ３４にぶつかるまで圧縮コイルスプリング３６によって外方にいっぱいに押し出された第１の所定位置にある状態を示し、左側半部は、ピストン体２６がシリンダ体２１内にいっぱいに押し込まれた第２の所定位置にある状態を示している。
【００２６】
ピストン体２６の軸線位置に穿設された通気孔３１は、操作ボタン２２の突端の中心に形成されたリーク孔３２において外部に開口している。通気孔３１には、右側半部に示される待機状態において接続管９に連通する連通孔２７と、給気チューブ６に連通する連通孔２５とが穿設されている。
【００２７】
操作ボタン２２には、有色のプラスチック材によって形成された有色筒体３７がリーク孔３２を囲む部分に配置されていて、その端面が外方から見えるようになっている。有色筒体３７は、取り付け座２２ａと操作ボタン２２とによって挟持固定されている。
【００２８】
その有色筒体３７の色は、シリンダ体２１の端面を囲む有色指標３８の色と同じ青色である。したがって、内視鏡使用後に、シリンダ体２１からピストン体２６を取り外して洗浄消毒した後で再び取り付けを行う際に適合関係が分かり、誤装着を防止することができる。
【００２９】
接続管９に通じる連通孔２７の部分に形成された凹部内には、弾力性のあるゴム材からなる逆止弁２８が配置されていて、接続管９側からピストン体２６内への流体の流れを阻止している。
【００３０】
ピストン体２６の底部側には、軸線位置に通水孔３３が穿設されていて、ピストン体２６の底面に開口している。そして、左側半部に示されるように、ピストン体２６がシリンダ体２１内にいっぱいに押し込まれた状態のときに給水チューブ７と連通する連通孔２９が穿設されている。また、ピストン体２６の外周部には必要に応じてシール用のＯリング３０が複数装着されている。
【００３１】
このように構成された送気送水切換操作弁２０は、何も操作しない待機状態においては、給気チューブ６から送り込まれる空気が、通気孔３１を通り、リーク孔３２から大気に放出される。
【００３２】
そして、指先でリーク孔３２を塞ぐと、給気チューブ６から通気孔３１内に送り込まれた空気が、接続管９を通って、吸引操作弁４０のシリンダ体４１内を経てチャンネルチューブ３に送り出され、送気送水吸引口４から送気が行われる。
【００３３】
そして、左側半部に示されるように、リーク孔３２を指先で塞いだ状態で、操作ボタン２２をいっぱいに押し込むと、給水チューブ７から送り込まれる水が通水孔３３を通ってチャンネルチューブ３に送り出され、送気送水吸引口４から送水が行われる。
【００３４】
吸引操作弁４０側のシリンダ体４１内にもピストン体４６が軸線方向に進退自在に嵌挿されており、その頭部には、送気送水切換操作弁２０側と同様の操作ボタン４２、取り付け座４２ａ、圧縮コイルスプリング５６、ストッパ５４及びゴムカバー５５が取り付けられていて、シリンダ体４１に対して着脱自在となっている。
【００３５】
吸引操作弁４０は、中心線の右半部に示されるように、待機状態においてはピストン体４６に形成された吸引連通孔４５がシリンダ体４１の内壁面で塞がれていて、チャンネルチューブ３からの吸引は行われない。４８は、吸引連通孔４５を囲んで設けられたシール材である。
【００３６】
そして、中心線の左半部に示されるように、操作ボタン４２を押し込むと吸引連通孔４５を介して吸引チューブ８とチャンネルチューブ３とが連通し、チャンネルチューブ３から吸引が行われる。
【００３７】
４９は、ピストン体４６がシリンダ体４１内で回転しないようにするために、シリンダ体４１の内壁部に軸線方向に形成された案内溝４７に係合するガイドピンである。
【００３８】
この吸引操作弁４０の操作ボタン４２には、その中心軸位置に有色のプラスチック材によって形成された有色軸体５７が配置されていて、その端面が外方から見えるようになっている。
【００３９】
その有色軸体５７の色はシリンダ体４１の端面を囲む有色指標５８の色と同じ赤色である。したがって、内視鏡使用後に、シリンダ体４１からピストン体４６を取り外して洗浄消毒した後で再び取り付けを行う際に適合関係が分かり、誤装着を防止することができる。
【００４０】
図１は、内視鏡使用後に送気送水切換操作弁２０と吸引操作弁４０のシリンダ体２１，４１からピストン体２６，４６を取り外して、シリンダ体２１，４１に接続された流体管路内に掃除用ブラシ１００を挿入するためのブラシ挿入補助具６０を、送気送水切換操作弁２０側のシリンダ体２１に取り付けた状態を示している。図２は、その平面図である。
【００４１】
ブラシ挿入補助具６０は、送気送水切換操作弁２０のシリンダ体２１に差し込まれて、接続管９内に掃除用ブラシ１００を案内するためのものであり、シリンダ体２１に嵌め込まれるプラスチック製の嵌め込み部６１と、ブラシ挿入補助具６０の向きを規制するためにシリンダ体２１外に位置するゴム製の位置決め部６２とを一体的に結合して構成されている。６６は、掃除用ブラシ１００を案内するためのブラシ案内孔であり、位置決め部６２から嵌め込み部６１にまたがって形成されている。
【００４２】
嵌め込み部６１と位置決め部６２とは、間隔をあけて嵌め込み部６１に突設された第１の鍔部６３と第２の鍔部６４とによって軸線方向の相対的移動が規制され、嵌め込み部６１側に形成された切り欠きとそこに位置決め部６２側から係合する部分とからなる回転止め部６５によって相対的な回転が規制されて、一体化されている。
【００４３】
そして、位置決め部６２に形成された位置決め縁６７を吸引操作弁４０の固定ナット４３の外周に沿わせることによって、送気送水切換操作弁２０のシリンダ体２１に対するブラシ挿入補助具６０の向きが規制され、その状態で図１に示されるように嵌め込み部６１をシリンダ体２１に嵌め込むことによって、ブラシ案内孔６６が接続管９に連通する所定位置にセットされる。
【００４４】
この状態においては、位置決め縁６７が固定ナット４３の外縁に圧接される。したがって、ブラシ挿入補助具６０がシリンダ体２１に対して位置決め部６２の弾力性によって安定状態に固定される。
【００４５】
その結果、ブラシ案内孔６６から掃除用ブラシ１００を差し込むことによって、その掃除用ブラシ１００が接続管９内に案内され、接続管９内をブラッシング掃除することができる。そして、そのような操作に際してブラシ挿入補助具６０がシリンダ体２１から簡単に外れたりしない。
【００４６】
このように構成されたブラシ挿入補助具６０の嵌め込み部６１は、送気送水切換操作弁２０の有色指標３８と同色である青色のプラスチックによって形成されている。したがって、その色を確認することによって、取り付けるべきシリンダ体２１，４１との適合関係が分かり、送気送水切換操作弁２０用のブラシ挿入補助具６０を吸引操作弁４０側に誤装着するおそれがない。
【００４７】
また、図示はしないが、吸引操作弁４０用のブラシ挿入補助具は、吸引操作弁４０の有色指標５８と同色である赤色に形成されており、送気送水切換操作弁２０側に誤装着するおそれがない。
【００４８】
なお、本発明のブラシ挿入補助具６０は上記実施の形態に限定されるものではなく、例えば、掃除用ブラシ１００が案内される流体管路は接続管９以外の管であってもよい。
【００４９】
また、嵌め込み部６１と位置決め部６２の一方又は両方を上記の有色にしてもよく、或いはそれとは別に有色の指標等を取り付けてもよい。また、指標を色以外の模様又は線等によって表示してもよい。
【００５０】
【発明の効果】
本発明によれば、内視鏡の管路切り換え操作装置のシリンダ体の入口部分に設けられた指標と対になる指標を有するブラシ挿入補助具をそのシリンダ体に取り付ければよいので、管路切り換え操作装置に対するブラシ挿入補助具の適合関係が明確になり、誤装着を未然に防止することができる。
【図面の簡単な説明】
【図１】本発明の実施の形態のブラシ挿入補助具がシリンダ体に取り付けられた状態の側面断面図である。
【図２】本発明の実施の形態のブラシ挿入補助具がシリンダ体に取り付けられた状態の平面図である。
【図３】本発明の実施の形態の内視鏡の全体概略図である。
【図４】本発明の実施の形態の流体管路切換装置の側面断面図である。
【符号の説明】
２０  送気送水切換操作弁
２１  シリンダ体
２２  操作ボタン
２３  固定ナット
３７  有色筒体
３８  有色指標
４０  吸引操作弁
５７  有色軸体
５８  有色指標
６０  ブラシ挿入補助具
６１  嵌め込み部
６２  位置決め部
６６  ブラシ案内孔
６７  位置決め縁
【図１】
0003949776.tif 000002
【図２】
0003949776.tif 000003
【図３】
0003949776.tif 000004
【図４】
0003949776.tif 000005